(57)【要約】本発明は市場売買ロトカード及び市場売買ロトカードを用いたデータベース構築方法を開示する。市場売買ロトカードは、薄いフィルムから作られた、複数の分割されたスペースの形態の、スペースのそれぞれに印刷されている数字、符号、文字または図表から成る。市場売買ロトカードの当落状況は、市場売買ロトカードと、マスメディアを介して提供された数字、符号、文字、または図表から選択された、オンラインで表示されている一つのモードとを照らし合わせることによって確認される。市場売買ロトカードは、無料で景品を貰うことができ、チャンスゲームを楽しむことのできる機会を複数回顧客に提供するものであり、その結果顧客の関心が刺激され、そして宣伝及び販売促進効果が最大化される。更には、市場売買ロトカードを用いたデータベース構築方法は、顧客の無料ギフトプレゼントサイトへの関心を刺激し、その結果宣伝及び販売促進効果が最大化され、革新的な収益性が生み出される。
2005524911.tif 000002
【特許請求の範囲】
【請求項１】
薄いフィルムから作られた、複数の分割されたスペースの形態の、スペースのそれぞれに印刷されている数字、符号、文字または図表から成る市場売買ロトカード（１００）。これにおいて市場売買ロトカードの当落状況は、市場売買ロトカードと、オンラインで提供されるビンゴ確認板（１１）とを照らし合わせることにより確認される。
【請求項２】
携帯電話や携帯情報端末（ＰＤＡ）または、ポケットＰＣなどのパーソナルコンピューターから提供されるビンゴ確認板（１１）は、数字、符号、文字、または図表が順次的に変更されるようにセットアップされ、顧客が、順次的に変更された数字、符号、文字、または図表の中から、顧客の市場売買ロトカードの状態と一致するように一つのモードを選択し、そして市場売買ロトカードの当落状況は、市場売買ロトカード（１００）に印刷されている数字、符号、文字、または図表が、ビンゴ確認板（１１）の選択された、数字、符号、文字または図表と同じであるかによって確認されることを特徴とする、請求項１に記載の市場売買ロトカード（１００）。
【請求項３】
市場売買ロトカードを用いたデータベース構築方法であり、前記方法は、以下のような手順から成るものである：
Ｓ１１０）オフラインで配布された市場売買ロトカード（１００）を入手した顧客が、インターネットを介して無料ギフトプレゼントサイトに接続し、無料ギフト提供イベントを選択する；
Ｓ１２０）顧客が無料ギフトプレゼントサイトの会員であるかどうかを識別し、そして顧客が会員でなければサイトへの入会を勧誘する；
Ｓ１３０）前記ポップアップウィンドウ（１０）は、ビンゴ確認板（１１）と識別番号入力箇所（１２）から成る、無料ギフトプレゼントイベントのポップアップウィンドウ（１０）を表示する；
Ｓ１４０）識別番号入力箇所（１２）に、顧客の市場売買ロトカード（１００）の識別番号を入力する；
Ｓ１５０）ポップアップウィンドウ（１０）の確認板（１１）を、ビンゴ確認板（１１）に示されている数字、符号、文字または図表が順次的に変更されるように表示する；
Ｓ１６０）顧客が停止のアイコンをクリックすることによって、順次的に変更された数字、符号、文字または図表の中から一つのモードを選択する；
Ｓ１７０）顧客の市場売買ロトカード（１００）と、ポップアップウィンドウ（１０）に表示されているビンゴ確認板（１１）とを照らし合わせることによって、顧客の市場売買ロトカード（１００）の当落状況を確認する；
Ｓ１７１−Ｓ１７２）手順Ｓ１７０において顧客の市場売買ロトカード（１００）がはずれであった場合、顧客が無料で景品を貰うためにもう一度ロトに参加するチャンスが欲しいかを尋ねる；
Ｓ１７３−Ｓ１７４）無料で景品を貰うためにもう一度ロトに参加するチャンスが欲しい顧客に、指定のアンケート調査に応じるか、指定された時間の間広告を閲覧することを要求する；
Ｓ１８０）顧客の市場売買ロトカード（１００）の当落状況を最終的に確認した後に、顧客にプレゼントされる無料ギフトの目録をウィンドウに表示すると同時に、顧客にｅメールを通してリアルタイムで目録を送信する。
【発明の詳細な説明】
【技術分野】
【０００１】
本発明は、市場売買ロトカード及び市場売買ロトカードを用いたデータベース構築方法、より詳しくは、購買心を刺激し、革新的な収益性を生み出すことによって、新たな利潤モデルを提供する市場売買ロトカード及び市場売買ロトカードを用いたデータベース構築方法に関するものである。
【背景技術】
【０００２】
近年、インターネットを含むあらゆる無線通信網のユーザー数の激増に伴い、電子商取引（ＥＣ）及びサイバーキャッシュを用いた購買行為などの商業活動も増加しつつある。これらの流れに遅れをとらないよう、オンラインの企業は、インターネットの顧客の関心を得るためにインターネットにサイトを開設することに継続的に努力をし、商品の宣伝のために多様なマーケティング方法を作り出すことに心血を注いだ。
【０００３】
多様なマーケティング方法において、無料ギフトをプレゼントすることで顧客の注目を集める方法は、一般的に広く用いられている。この方法は、ロト、クイズ、くじ引き、ゲーム等の形で行われている。
【発明の開示】
【発明が解決しようとする課題】
【０００４】
しかしながら、従来のマーケティング方法は既に一般化されてしまっており、結果、企業の期待には沿わず、マーケティング活動によってもたらされる利益は低下する。それ故、前述の問題を克服するために、顧客の関心をより刺激する革新的な利潤モデルが求められている。
【０００５】
従って、本発明は前述の問題を考慮して作られたものであり、そして、市場売買ロトカードの当落状況をはじめにフィルムを削り取ることによって確認し、次に市場売買ロトカードとオンラインで提供される確認板とを照らし合わせることによって顧客の市場売買ロトカードの当落状況を追加的に確認し、その結果、無料で景品が貰え、チャンスゲームを楽しむことのできる機会を複数回顧客に提供し、顧客の関心を刺激し、そして宣伝及び販売促進効果を最大化する市場売買ロトカードを提供することが本発明の目的である。
【０００６】
本発明の他の目的は、無料ギフト提供サイトに顧客の注目を集めることのできる、前述の市場売買ロトカードを用いたデータベース構築方法を提供することであり、その結果、宣伝及び販売促進効果が最大化され、革新的な収益性が生み出される。
【課題を解決するための手段】
【０００７】
本発明の一つの態様に従い、上記のそして他の目的は、薄いフィルムから作られた、複数の分割されたスペースの形態の、スペースのそれぞれに印刷されている数字、符号、文字または図表から成る市場売買ロトカード（１００）を提供することによって成し遂げることが可能なものであり、これにおいて顧客の市場売買ロトカードの当落状況は、市場売買ロトカードとオンラインで提供される確認板とを照らし合わせることによって確認される。
【０００８】
好適には、市場売買ロトカードの複数の分割されたスペースは、スクラッチフィルムで完全にまたは部分的にコーティングされる。その結果、市場売買ロトカードの当落状況は、二つの手順で、つまりは、第一に市場売買ロトカードからスクラッチフィルムを剥がし、そして第二に、市場売買ロトカードとオンラインで提供される確認板とを照らし合わせることによって確認される。
【０００９】
これにおいて確認板は、確認板に示されている数字、符号、文字または図表が順次的に変更されるようにセットアップされるものであり、顧客は停止のアイコンをクリックすることによって、順次的に変更された数字、符号、文字、または図表の中から、顧客の市場売買ロトカードの状態と一致するように一つのモードを選択する。そして市場売買ロトカードの当落状況は、市場売買ロトカードに印刷されている数字、符号、文字、または図表が、ビンゴ確認板の選択された、数字、符号、文字または図表と同じであるかによって確認される
【００１０】
本発明の他の態様に従い、市場売買ロトカードを用いたデータベース構築方法が提供されており、該方法は、以下の手順から成るものである；オフラインで配布された市場売買ロトカードを入手した顧客が、インターネットを介して無料ギフトプレゼントサイトに接続する；顧客が無料ギフトプレゼントサイトの会員であるかどうかを識別し、そして顧客が会員でなければサイトへの入会を勧誘する；前記ポップアップウィンドウは、ビンゴ確認板と識別番号入力箇所から成る、無料ギフトプレゼントイベントのポップアップウィンドウを表示する；識別番号入力箇所に、顧客の市場売買ロトカードの識別番号を入力する；ポップアップウィンドウの確認板を、ビンゴ確認板に示されている数字、符号、文字または図表が順次的に変更されるように表示する；顧客が停止のアイコンをクリックすることによって、順次的に変更された数字、符号、文字または図表の中から一つのモードを選択する；顧客の市場売買ロトカードと、ポップアップウィンドウに表示されているビンゴ確認板とを照らし合わせることによって、顧客の市場売買ロトカードの当落状況を確認する；顧客の市場売買ロトカードの当落状況を最終的に確認した後に、顧客にプレゼントされた無料ギフトの目録をウィンドウに表示すると同時に、顧客にｅメールを通してリアルタイムで目録を送信する。
【００１１】
好適には、市場売買ロトカードを用いたデータベース構築方法は、顧客の市場売買ロトカードがはずれであった場合、顧客が無料で景品を貰うためにもう一度ロトに参加するチャンスが欲しいかを尋ね、そして無料で景品を貰うためにもう一度ロトに参加するチャンスが欲しい顧客に、指定のアンケート調査に応じるか、指定された時間の間広告を閲覧することを要求する手順から成る。
【発明を実施するための最良の形態】
【００１２】
本発明の上述及び他の目的、特徴及び利点は、添付の図面とともに以下に続く詳細な説明によって、より明確に理解されるものであり、これにおいて：
図１は、本発明に従った市場売買ロトカードの当落状況を確認する、市場売買ロトカードとポップアップウィンドウの実施態様を示した概略図である。
図２ａから２ｈは、それぞれ本発明に係わる市場売買ロトカードの他の実施態様を示した概略図である。
図３は、本発明に従った市場売買ロトカードを用いたデータベース構築方法のフローチャート図である。
【００１３】
現在、本発明の好ましい実施態様は、添付の図面を参照に詳細に説明される。以下に続く好ましい実施態様は、本発明をよりよく理解するためだけに作られたものである。よって、本発明はこれらの好ましい実施態様に制限されるものではなく、またこれらの実施例において添付の請求項に開示されているように、本発明の趣旨と精神を逸脱しない範囲での多様な変型、追加、そして代用が可能である。
【００１４】
図１は、本発明に従った市場売買ロトカードの当落状況を確認する、市場売買ロトカードとポップアップウィンドウの実施態様を示した概略図である。図２ａから２ｈは、それぞれ本発明に従った市場売買ロトカードの他の実施態様を示した概略図である。
【００１５】
図１にみられるように、本発明の市場売買ロトカード（１００）は、少なくとも一つの分割されたスペースの形態の、薄いベースフィルムを有する。薄いベースフィルムのそれぞれのスペースには、数字、符号、文字または図表が印刷されている。ランダムに選択された市場売買ロトカード（１００）のいくつものスペースは、空白である。顧客の市場売買ロトカード（１００）の当落状況は、市場売買ロトカード（１００）と、オンラインで提供される確認板（１１）とを照らし合わせることによって確認することができる。すなわち、市場売買ロトカード（１００）の当落状況は、市場売買ロトカード（１００）の空白スペースと、確認板（１１）に示されている数字、符号、文字または図表とを照らし合わせることによって確認することができる。すなわち、確認板（１１）を、携帯電話や携帯情報端末（ＰＤＡ）またはポケットＰＣなどのパーソナルコンピューターなどの、いくつもの無線通信機器から提供することができる。
【００１６】
好適には、ポップアップウィンドウ（１０）の確認板（１１）は、数字、符号、文字、または図表が順次的に変更されるようにセットアップされる。顧客は、確認板（１１）に示されている順次的に変更された数字、符号、文字、または図表の中から、顧客の市場売買ロトカード（１００）の状態と一致するように一つのモードを選択する。その結果、市場売買ロトカード（１００）の当落状況は、市場売買ロトカード（１００）の薄いベースフィルムの空白スペースと、確認板（１１）に示されている数字、符号、文字または図表の選ばれたモードとを照らし合わせることによって確認される。
【００１７】
更には、本発明の市場売買ロトカード（１００）は、印刷された数字、符号、文字、図表または景品記号を有する複数の分割されたスペースの表面をコーティングするスクラッチフィルムを有する。その結果、顧客の市場売買ロトカード（１００）の当落状況は、第一に市場売買ロトカードからスクラッチフィルムを剥がし、そして第二に、市場売買ロトカード（１００）とオンラインで提供されるポップアップウィンドウ（１０）の確認板（１１）とを照らし合わせることによって確認される。本発明の実施態様の第二の手順において、顧客の市場売買ロトカード（１００）の当落状況は、顧客の市場売買ロトカード（１００）とポップアップウィンドウ（１０）の確認板（１１）を照らし合わせることによって示される、顧客の市場売買ロトカード（１００）に印刷されている数字、符号、文字または図表が、当選番号、符号、文字または図表と同じであるかどうかで確認される。これにおいて、好適には市場売買ロトカード（１００）の当選番号は、スクラッチフィルムでコーティングされるものであり、その結果、顧客の市場売買ロトカードの当落状況は二通りで確認される。
【００１８】
これにおいて、図２（ａ）にみられるように、市場売買ロトカード（１００）の当落状況は、顧客の市場売買ロトカード（１００）と、インターネットを含むあらゆるマスメディアを介して提供されたポップアップウィンドウ（１０）の確認板（１１）とを照らし合わせることによって示される、顧客の市場売買ロトカード（１００）に印刷されている数字、符号、文字または図表が、当選番号、符号、文字または図表と同じであるかどうかで確認される。この場合、好適には、当選番号はスクラッチフィルムによってコーティングされ
る。その結果、顧客の市場売買ロトカード（１００）の当落状況は、はじめにフィルムを削り取ることによって確認され、つぎに顧客の市場売買ロトカード（１００）の当落状況は、はじめに確認した市場売買ロトカードと、インターネット等から提供されたポップアップウィンドウ（１０）のビンゴ確認板（１１）とを照らし合わせることによって追加的に確認される。
【００１９】
図２（ｂ）にみられるように、市場売買ロトカード（１００）の当落状況は、顧客の市場売買ロトカード（１００）と、インターネットを含むあらゆるマスメディアを介して提供されたポップアップウィンドウ（１０）の確認板（１１）とを照らし合わせることによって、顧客の市場売買ロトカード（１００）の複数の分割されたスペースに印刷されている数字、符号、文字または図表が、市場売買ロトカード（１００）の薄いベースフィルムの空白スペースを介して示される数字、符号、文字、図表と同じであるかどうかで決定される。好適には、このタイプの市場売買ロトカード（１００）は、大量に顧客に配布されている可能性があり、その結果、ロトゲームを楽しむチャンスが複数回顧客に提供される。
【００２０】
図２（ｃ）にみられるように、市場売買ロトカード（１００）の当落状況は、市場売買ロトカード（１００）とインターネットを含むあらゆるマスメディアを介して提供されたポップアップウィンドウ（１０）の確認板（１１）とを照らし合わせることによって、市場売買ロトカード（１００）の複数の分割されたスペースに印刷されている数学記号に従って加算された数字によって求められた実際の合計と市場売買ロトカード（１００）の薄いベースフィルムの空白スペースを介して示された数字が、市場売買ロトカードに印刷されている当選合計と同じであるかどうかで決定される。実際の合計が当選合計と同じであれば、顧客に無料で高価な景品が提供される。更に、実際の合計が当選合計と同じでなくとも、多数の安価な景品が用意されており、また実際の合計の数字と同じの安価な景品が顧客に提供され、その結果、宣伝効果が最大化される。このタイプの市場売買ロトカード（１００）は、とくに企業の新製品の販売促進に使用される。
【００２１】
図２（ｄ）にみられるように、市場売買ロトカード（１００）の当落状況は、市場売買ロトカード（１００）とインターネットを含むあらゆるマスメディアを介して提供されたポップアップウィンドウ（１０）の確認板（１１）とを照らし合わせることによって、市場売買ロトカード（１００）の複数の分割されたスペースに印刷された数字と市場売買ロトカード（１００）の薄いベースフィルムの空白スペースを介して示される数字とを組み合わせて得た完全数が、特定の当選番号すなわちランダムに選択された当選番号と同じであるかどうかで決定される。好適には、特定の当選番号は事前に選択されており、また選択された当選番号はポップアップウィンドウ（１０）に表示または市場売買ロトカード（１００）に印刷されている。しかしながら、特定の当選番号は、市場売買ロトカード（１００）とポップアップウィンドウ（１０）の確認板（１１）とを照らし合わせながらその場で選択されてもよい。代替案として、特定の当選番号は、市場売買ロトカード（１００）とポップアップウィンドウ（１０）の確認板（１１）とを照らし合わせた後に選択される。
【００２２】
さらに図２（ｅ）にみられるように、顧客の市場売買ロトカード（１００）と、インターネットを含むあらゆるマスメディアを介して提供されたポップアップウィンドウ（１０）の確認板（１１）とを照らし合わせることによって、市場売買ロトカード（１００）の複数の分割されたスペースに印刷された数字と市場売買ロトカード（１００）の薄いベースフィルムの空白スペースを介して示される数字との合計数と同じ数の無料ギフトが顧客に提供される。このタイプの市場売買ロトカードは、無料の安価な景品を総顧客数の範囲の数で提供するように機能し、その結果企業の新製品が販売促進される。
【００２３】
図２（ｆ）にみられるように、市場売買ロトカード（１００）の当落状況は、市場売買ロトカード（１００）とインターネットを含むあらゆるマスメディアを介して提供されたポップアップウィンドウ（１０）の確認板（１１）とを照らし合わせることによって、市場売買ロトカード（１００）の複数の分割されたスペースに印刷されている実際の合計と市場売買ロトカード（１００）の薄いベースフィルムの空白スペースを介して示される図表が、市場売買ロトカード（１００）に印刷されている合計の当選番号と同じであるかで決定される。このタイプの市場売買ロトカード（１００）は、こどもの心理を刺激し、その結果、低学年のこどもの新学期を祝うための特別なイベントに用いられ、それゆえ企業のイメージを改善し、そして宣伝効果を最大化する。
【００２４】
図２（ｇ）にみられるように、市場売買ロトカード（１００）の当落状況は、市場売買ロトカード（１００）とインターネットを含むあらゆるマスメディアを介して提供されたポップアップウィンドウ（１０）の確認板（１１）とを照らし合わせることによって、市場売買ロトカード（１００）の分割された複数のスペースに印刷されたカードと市場売買ロトカード（１００）の薄いベースフィルムの空白スペースを介して示されるカードが、多くのカードゲームとルールが同じ、または組み合わせたものであるかで決定される。これにおいて、顧客は結果によってグレード分けされており、グレードと対応する無料ギフトを受け取ることができる。このタイプの市場売買ロトカード（１００）は、大人の関心を刺激し、その結果彼らの楽しみを増大させる。この場合、トランプは花札や麻雀と代替することもできる。
【００２５】
図２（ｈ）にみられるように、市場売買ロトカード（１００）の当落状況は、市場売買ロトカード（１００）とインターネットを含むあらゆるマスメディアを介して提供されたポップアップウィンドウ（１０）の確認板（１１）とを照らし合わせることによって、市場売買ロトカード（１００）に分割された複数のスペースに印刷されているサイコロの目が、市場売買ロトカード（１００）の薄いベースフィルムの空白スペースを介して示されるサイコロの目が同じであるかで決定される。好適には、このタイプの市場売買ロトカード（１００）は、こどもの心理を刺激し、その結果、低学年のこどもの新学期を祝うための特別なイベントに用いられ、それゆえ企業のイメージを改善し、そして宣伝効果を最大化する。とりわけ顧客は、市場売買ロトカード（１００）に印刷されているサイコロの目の数によってグレード分けされており、該目の数は、ポップアップウィンドウ（１０）の確認板（１１）に対応するサイコロの目と同じであり、すなわち二つの対応するサイコロの目が同じである場合、そして対応するサイコロの目がすべて同じである場合、そして対応するサイコロの目うちのいくつかが同じである場合に、対応するグレードの無料ギフトを受け取る。
【００２６】
図２（ｉ）にみられるように、市場売買ロトカード（１００）の当落状況は、市場売買ロトカード（１００）とインターネットを含むあらゆるマスメディアを介して提供されたポップアップウィンドウ（１０）の確認板（１１）とを照らし合わせることによって、市場売買ロトカード（１００）の分割された複数のスペースに印刷された韓国の伝統的な遊びであるユッソで用いられる牌と市場売買ロトカード（１００）の薄いベースフィルムの空白スペースを介して示されるユッソで用いられる牌が、ユッソのルールに適用可能であるかで決定される。好適には、正月や旧暦のお盆のような祝日の催しに用いることも可能であり、その結果、企業のイメージを改善し、そして宣伝効果を最大化する。
【００２７】
図２（ｊ）にみられるように、市場売買ロトカード（１００）の当落状況は、市場売買ロトカード（１００）とインターネットを含むあらゆるマスメディアを介して提供されたポップアップウィンドウ（１０）の確認板（１１）とを照らし合わせることによって、市場売買ロトカード（１００）の分割された複数のスペースに印刷された碁石と市場売買ロトカード（１００）の薄いベースフィルムの空白スペースを介して示される碁石が、一列に並んでいるかで決定される。例えば、このタイプの市場売買ロトカード（１００）は囲碁の全国大会の優勝の記念に提供することも可能であり、それゆえ企業のイメージを改善し、そして宣伝効果を最大化する。これにおいて、囲碁はチェスと代替することもできる。
【００２８】
図２（ａ）から図２（ｊ）にみられるように、上述された市場売買ロトカード（１００）の複数の実施態様は組み合わせることが可能であり、また一枚のロトカードに使用することができる。市場売買ロトカード（１００）を組み合わせたタイプのものは、顧客に異なるタイプのロトゲームを楽しむチャンスを複数回与える。
【００２９】
好適には、本発明の前述の市場売買ロトカード（１００）のサイズは、インターネットに接続されているシステム環境と関わるポップアップウィンドウ（１０）の確認板（１１）と適合するように制御されており、その結果、市場売買ロトカード（１００）の当落状況を簡単に確認することができる。
【００３０】
以下、前述の本発明の市場売買ロトカード（１００）を用いたオンラインマーケティング方法を詳細に説明する。
【００３１】
図３は、本発明に従った市場売買ロトカード（１００）を用いたデータベース構築方法のフローチャート図を示したものである。
【００３２】
図３に示されているように、本発明の市場売買ロトカード（１００）を用いたデータベース構築方法は、インターネットを介して顧客を無料ギフト提供サイトに接続させる全ての通信システムに適用することができる。無料ギフト提供サイトは、ウィンドウを表示し、データベース（Ｄ／Ｂ）を通じてあらゆるデータを確認し、記憶し、そして変換する。これにおいて通信システムは、パーソナルコンピューターまたは携帯電話や携帯情報端末（ＰＤＡ）またはポケットＰＣなどのような無線通信機器を参照したものである。顧客の市場売買ロトカード（１００）の当落状況は、これらの通信システムを介して確認することができる。
【００３３】
図１及び図２にみられるように、市場売買ロトカード（１００）はオフラインで一般人に配られ、そして市場売買ロトカード（１００）を入手した顧客がインターネットを介して無料ギフト提供サイトに接続する（Ｓ１１０）。これにおいて、市場売買ロトカード（１００）は、無料配布、販売商品と共に配布、ｅメールでの配布などのあらゆるルートから顧客に配られる。
【００３４】
無料ギフト提供サイトに接続した後に顧客は無料ギフトプレゼントイベントを選択する。そのとき、無料ギフト提供サイトは、顧客が無料ギフトプレゼントサイトの会員であるかどうかを識別する。顧客が会員でなければ、顧客はサイトへの入会を勧誘される（Ｓ１２０）。
【００３５】
データベースを用いて顧客を識別した後に、図１にみられるように、無料ギフトプレゼントイベントのポップアップウィンドウ（１０）が表示される（Ｓ１３０）。ポップアップウィンドウ（１０）は、ビンゴ確認板（１１）と識別番号入力箇所（１２）から成る。
【００３６】
顧客は入手した市場売買ロトカード（１００）の識別番号を識別番号入力箇所（１２）に入力する（Ｓ１４０）。これにおいて、無料ギフトプレゼントサイトは比較し、その結果、顧客の市場売買ロトカード（１００）の入力された識別番号とデータベースに記憶されている該当するコンテンツとを比較し、顧客の市場売買ロトカード（１００）の真偽を確認する。
【００３７】
ポップアップウィンドウ（１０）の確認板（１１）は、ビンゴ確認板（１１）に示されている数字、符号、文字または図表が順次的に変更されるようにセットアップされている（Ｓ１５０）。
【００３８】
これにおいて、顧客の市場売買ロトカード（１００）の一つの態様に従い、顧客は、ポップアップウィンドウ（１０）において順次的に変更された数字、符号、文字または図表の中から停止のアイコンをクリックすることによって、一つのモードを選択する（Ｓ１６０）。市場売買ロトカード（１００）の当落状況は、前述の市場売買ロトカード（１００）と確認板（１１）とを照らし合わせることによって確認される。それゆえ、市場売買ロトカード（１００）と確認板（１１）とを照らし合わせる原理の詳細な説明は割愛する。
【００３９】
このとき顧客は、彼／彼女の市場売買ロトカード（１００）と選択された数字、符号、文字または図表から成るビンゴ確認板（１１）とを照らし合わせ、その結果、顧客の市場売買ロトカード（１００）の当落状況が確認される（Ｓ１７０）。これにおいて、市場売買ロトカード（１００）の当落状況を確認（Ｓ１７０）した後、無料ギフトプレゼントサイトは、データベースを用いてポップアップウィンドウ（１０）に市場売買ロトカード（１００）の当落状況の結果を表示し、顧客に結果を確認するよう要求する。
【００４０】
顧客の市場売買ロトカード（１００）がはずれであった場合、無料ギフトプレゼントサイトは、顧客が無料で景品を貰うためにもう一度ロトに参加するチャンスが欲しいかを尋ねる（Ｓ１７１−Ｓ１７２）。これにおいて、好適には無料で景品を貰うためにロトに参加するチャンスは指定の番号に限られる。
【００４１】
無料で景品を貰うためにもう一度ロトに参加するチャンスが欲しい顧客は、指定のアンケート調査に応じるか、指定された時間の間広告を閲覧することを要求される（Ｓ１７３−Ｓ１７４）。
【００４２】
別のビンゴ確認板（１１）が、ポップアップウィンドウ（１０）にさらに表示され、指定の調査に応じたまたは広告を閲覧した顧客に提供される。顧客は、彼／彼女の市場売買ロトカード（１００）と新たに表示されたビンゴ確認板（１１）とを照らし合わせ、その結果、顧客の市場売買ロトカード（１００）の当落状況がもう一度確認される（Ｓ１５０−Ｓ１７０）。
【００４３】
市場売買ロトカード（１００）の当落状況を最終的に確認した後に、無料ギフトプレゼントサイトは顧客にプレゼントされる無料ギフトの目録をウィンドウに表示すると同時に、顧客にｅメールを通してリアルタイムで目録を送信し、その結果顧客の満足度を向上させるためにサービスが改善される（Ｓ１８０）。このとき、無料ギフトプレゼントサイトは、無料ギフトの目録が顧客に提供されたのと同様に、宣伝内容を送信する。
【００４４】
上述の説明で明らかなように、本発明は市場売買ロトカード及び市場売買ロトカードを用いたデータベース構築方法を提供するものである。本発明に従い、市場売買ロトカードの当落状況は、新聞、雑誌そしてテレビ等のマスメディアの広告によって確認され、その結果、無料で景品が貰え、チャンスゲームを楽しむことのできる機会が複数回顧客に提供され、顧客の関心が刺激され、そして宣伝及び販売促進効果が最大化される。
【００４５】
更には、本発明は市場売買ロトカードを用いたマーケティング方法によって、インターネットを通じ、顧客の注目を集め、その結果、宣伝及び販売促進効果が最大化され、革新的な収益性が生み出される。
【００４６】
本発明の推奨の実施態様が説明のために開示されたが、当業者は付属の請求項に開示されているように、本発明の精神と範囲から逸脱することなく、多様な変更、追加、代用などが可能であることを正しく理解するものである。
【図面の簡単な説明】
【００４７】
【図１】本発明に従った市場売買ロトカードの当落状況を確認する、市場売買ロトカードとポップアップウィンドウの実施態様を示した概略図である。
【図２】本発明に係わる市場売買ロトカードの他の実施態様を示した概略図。
【図３】本発明に従った市場売買ロトカードを用いたデータベース構築方法のフローチャート図。
【符号の説明】
【００４８】
１０  ポップアップウィンドウ
１１  ビンゴ確認版
１２  識別番号入力箇所
１００  市場売買ロトカード
【図１】
2005524911.tif 000003
【図２】
2005524911.tif 000004
【図３】
2005524911.tif 000005
【国際調査報告】
2005524911.tif 000006